(57)【特許請求の範囲】
【請求項１】
電気光学パネルと、
前記電気光学パネルを支持すると共に保護する筐体と
を備え、
前記筐体は、
固定層を介して前記電気光学パネルを支持するダイキャスト製の第１枠体と、
前記電気光学パネルの下面を保護する第２枠体と、
前記電気光学パネルの端縁を保護する第３枠体と、
前記第２枠体および前記第３枠体を第１方向に働く締め付け力によって互いに固定する固定部と
を有し、
前記固定部または前記第２枠体は、前記第１枠体に対して前記第１方向に力を加えない態様で前記第１枠体が脱落するのを妨げる干渉部を有し、
前記第１枠体は、前記第１方向に貫通する第１開口を有し、
前記干渉部は、前記第１開口内に配置されており、
前記干渉部は、前記第２枠体および前記第３枠体によって前記第１方向から挟まれており、
前記第１開口が設けられた前記第１枠体の壁板は、前記第２枠体の壁板と前記第３枠体の壁板との間に配置され、
前記第２枠体の壁板は、前記第１枠体の壁板の内周面と接しており、
前記第３枠体の壁板は、前記第１枠体の壁板の外周面と接していない
電気光学装置。
【請求項２】
前記干渉部が、前記固定部に設けられている
請求項１に記載の電気光学装置。
【請求項３】
前記第１枠体は、アルミニウム合金またはマグネシウム合金を含んで構成されたものである
請求項１に記載の電気光学装置。
【請求項４】
前記第２枠体は、直接、または弾性体を介して、前記第１枠体の下面に接している
請求項１に記載の電気光学装置。
【請求項５】
前記第２枠体は、ダイキャスト製である
請求項４に記載の電気光学装置。
【請求項６】
前記干渉部が前記第２枠体に設けられており、
前記干渉部および前記第３枠体は前記第１方向で互いに対向しており、
前記干渉部は前記第３枠体に直接、接している
請求項１に記載の電気光学装置。
【請求項７】
前記第２枠体は、ダイキャスト製である
請求項６に記載の電気光学装置。
【請求項８】
前記電気光学パネルは、入射光を変調することにより映像を表示する表示パネルであり、
当該電気光学装置は、前記電気光学パネルの背面に光を照射するバックライトを備え、
前記第２枠体は、前記バックライトを支持すると共に保護している
請求項１に記載の電気光学装置。
【発明の詳細な説明】
【技術分野】
【０００１】
本技術は、液晶パネル等の電気光学パネルを備えた電気光学装置に関する。
【背景技術】
【０００２】
近年、自動車には、液晶パネル等の電気光学パネルが様々な箇所に用いられている。例えば、カーナビゲーション装置の表示部に電気光学パネルが用いられている。最近では、自動車の速度やエンジンの回転数、ガソリンの残量、エンジン冷却水の温度などを表示するインスツルメント・パネル（インパネ）にも電気光学パネルが用いられるようになってきている。
【０００３】
電気光学パネルは、外部からの衝撃などから保護するために、駆動基板などと共に、筐体で覆われる（例えば、特許文献１参照）。電気光学パネルとして液晶パネルを用い、さらに、光源として液晶パネルに光を照射するバックライトを用いる場合には、筐体は、例えば、バックライトおよび駆動基板を支持する下金枠と、電気光学パネルを支持する中金枠と、これらと組み合わせることで電気光学パネル等を保護する上金枠とにより構成される。上金枠には、電気光学パネルの表示面に対応して開口が設けられており、各金枠をボルトなどで互いに固定することにより、電気光学パネルの表示面と、上金枠の開口との位置決めがなされる。
【先行技術文献】
【特許文献】
【０００４】
【特許文献１】特開２０１１−１８６０２４号公報
【発明の概要】
【発明が解決しようとする課題】
【０００５】
ところで、上述のように、各金枠をボルトなどで互いに固定したときに、ボルトによる締め付けに起因する応力が、電気光学パネルに伝わることがある。電気光学パネルを支持する中金枠の支持面の平面度が低い場合には、上記の応力だけでなく、平面度の低さに起因する応力までもが、電気光学パネルに伝わることがある。電気光学パネルの高精細および高視野角化等に伴い、応力による輝度ムラがより顕著に現れるようになった。
【０００６】
本技術はかかる問題点に鑑みてなされたものであり、その目的は、電気光学パネルに加わる応力に起因する輝度ムラを低減することの可能な電気光学装置を提供することにある。
【課題を解決するための手段】
【０００７】
本技術の電気光学装置は、電気光学パネルと、電気光学パネルを支持すると共に保護する筐体とを備えたものである。筐体は、３つの枠体（第１枠体、第２枠体および第３枠体）と、固定部とを有している。ここで、第１枠体は、固定層を介して電気光学パネルを支持するダイキャスト製の枠体である。第２枠体は、電気光学パネルの下面を保護する枠体である。第３枠体は、電気光学パネルの端縁を保護する枠体である。固定部は、第２枠体および第３枠体を第１方向に働く締め付け力によって互いに固定するものである。本技術の電気光学装置において、固定部または第２枠体は、第１枠体に対して第１方向に力を加えない態様で第１枠体が脱落するのを妨げる干渉部を有している。前記第１枠体は、前記第１方向に貫通する第１開口を有し、前記干渉部は、前記第１開口内に配置されており、前記干渉部は、前記第２枠体および前記第３枠体によって前記第１方向から挟まれている。前記第１開口が設けられた前記第１枠体の壁板は、前記第２枠体の壁板と前記第３枠体の壁板との間に配置され、前記第２枠体の壁板は、前記第１枠体の壁板の内周面と接しており、前記第３枠体の壁板は、前記第１枠体の壁板の外周面と接していない。
【０００８】
本技術の電気光学装置では、電気光学パネルの下面を保護する第２枠体と、電気光学パネルの端縁を保護する第３枠体とが、固定部による第１方向に働く締め付け力によって互いに固定されている。さらに、固定部または第２枠体が、第１枠体に対して第１方向に力を加えない態様で、電気光学パネルを支持する第１枠体の脱落を防止している。これにより、固定部による締め付けに起因する歪みが第１枠体に伝播し難くなる。また、本技術の電気光学装置では、第１枠体がダイキャスト製となっている。そのため、第１枠体は高剛性で歪みに難い性質を有しているので、第１枠体には歪が生じ難く、しかも、他の部材の歪みが第１枠体を介して電気光学パネルに伝播し難くなっている。
【発明の効果】
【０００９】
本技術の電気光学装置によれば、電気光学パネルを支持する第１枠体に対して歪みが伝播し難くなっており、さらに、第１枠体には歪が生じ難く、しかも、他の部材の歪みが第１枠体を介して電気光学パネルに伝播し難くなっているので、電気光学パネルに加わる応力に起因する輝度ムラを低減することができる。
【図面の簡単な説明】
【００１０】
【図１】本技術の一実施の形態に係る表示装置の展開斜視図である。
【図２】図１の表示装置の断面図である。
【図３】図１の表示装置のうち固定部およびその近傍の断面図である。
【図４】図３の表示装置の第１変形例の断面図である。
【図５】図３の表示装置の第２変形例の断面図である。
【図６】図５のスペーサの斜視図である。
【図７】図３の表示装置の第３変形例の断面図である。
【図８】図３、図４、図５および図７の表示装置の一変形例の断面図である。
【図９】一応用例に係る電子機器の斜視図である。
【図１０】他の応用例に係るインスツルメント・パネルの正面図である。
【発明を実施するための形態】
【００１１】
以下、発明を実施するための形態について、図面を参照して詳細に説明する。なお、説明は以下の順序で行う。
１．実施の形態
２．変形例
３．応用例
【００１２】
＜１．実施の形態＞
[構成]
本技術の一実施の形態に係る表示装置１について説明する。図１は、表示装置１の概略構成の一例を展開して斜視的に表したものである。図２は、図１の表示装置１のＡ−Ａ線における断面構成の一例を表したものである。表示装置１は、表示パネル１０と、表示パネル１０の背面に配置されたバックライト２０と、表示パネル１０およびバックライト２０を支持すると共に保護する枠体３０とを備えている。なお、表示パネル１０は、本技術の「電気光学パネル」の一具体例に相当し、枠体３０および後述の固定部４０からなる構造物が、本技術の「筐体」の一具体例に相当する。
【００１３】
表示装置１は、さらに、固定部４０と、固定層５０と、駆動基板６０と、ＦＰＣ（Flexible printed circuits：フレキシブルプリント基板）７０とを備えている。駆動基板６０は、表示パネル１０を駆動することにより表示パネル１０に映像を表示させるものであり、例えば、バックライト２０の背面側に配置されている。ＦＰＣ７０は、表示パネル１０と駆動基板６０とを電気的に接続するものであり、例えば、枠体３０の内面と、バックライト２０の側面との隙間を介して、表示パネル１０と駆動基板６０とに連結されている。固定部４０および固定層５０については、後に詳述するものとする。
【００１４】
（表示パネル１０）
表示パネル１０は、映像を表示するためのものであり、例えば、図１に示したような４辺を有する長方形状となっている。表示パネル１０は、例えば、入射光を変調することにより映像を表示するものであり、例えば、映像信号に応じて各画素が駆動されることにより、背面側から入射した光を変調し、画像光を上面から出力する透過型の表示パネルである。表示パネル１０は、例えば、液晶層を一対の透明基板で挟み込んだ構造となっている。表示パネル１０の上面のうち各画素の配置された領域が映像表示面１０Ａとなっており、表示パネル１０の上面のうち外縁に相当する領域（具体的には映像表示面１０Ａの周縁）が映像非表示領域であるフレーム領域となっている。
【００１５】
（バックライト２０）
バックライト２０は、表示パネル１０の背面に光を照射するものであり、例えば図１に示したような４辺を有する長方形状となっている。バックライト２０は、例えば、光源２１と、光源２１の上面に配置された各種の光学シート２２とを有している。光源２１は、例えば、エッジライト方式の光源であり、例えば、導光板と、導光板の端部に配置された線状光源とにより構成されている。なお、光源２１は、例えば、複数の線状光源が面内に配置された直下方式の光源であってもよい。バックライト２０は、さらに、上述の光源２１および光学シート２２を支持すると共に保護する台座２３を備えている。台座２３は、表示パネル１０の映像表示面１０Ａに対応して開口を有している。台座２３は、例えばネジなどで枠体３０に固定されており、それによって映像表示面１０Ａと台座２３の開口との位置決めがなされている。
【００１６】
（枠体３０）
枠体３０は、箱状となっている。表示パネル１０およびバックライト２０が図１に示したような４辺を有する長方形状となっている場合には、枠体３０は、直方体形状となっている。枠体３０は、例えば、固定層５０を介して表示パネル１０を支持する中枠３２と、表示パネル１０の下面（さらにはバックライト２０）を保護する下枠３１と、表示パネル１０の端縁を保護する上枠３３とを有している。なお、中枠３２が本技術の「第１枠体」の一具体例に相当し、下枠３１が本技術の「第２枠体」の一具体例に相当し、上枠３３が本技術の「第３枠体」の一具体例に相当する。
【００１７】
中枠３２は、ダイキャスト製であり、剛性が高く歪み難い性質を有している。中枠３２は、例えば、アルミニウム合金またはマグネシウム合金を含んで構成されている。下枠３１は、ダイキャスト製であることが好ましいが、板金加工部材または樹脂成型部材で構成されたものであってもよい。上枠３３は、例えば、ダイキャスト、板金加工部材、または樹脂成型部材で構成されている。下枠３１および上枠３３がダイキャストとなっている場合には、下枠３１および上枠３３は、例えば、アルミニウム合金またはマグネシウム合金を含んで構成されている。
【００１８】
中枠３２は、表示パネル１０の下面と対向する位置に支持部３２Ａを有している。支持部３２Ａは、映像表示面１０Ａと対向する位置に開口３２Ｂを有しており、例えば、環状の形状となっている。図３に示したように、支持部３２Ａの上面は、固定層５０を介して表示パネル１０の下面と接する支持面３２Ｃとなっている。支持面３２Ｃは、平坦面となっており、例えば、平坦化処理のなされた平面となっている。中枠３２は、さらに、バックライト２０の側面と対向する位置に、バックライト２０の側面に沿って延在する壁板３２Ｄを有している。壁板３２Ｄは、映像表示面１０Ａと平行な方向（図２、図３に示した方向Ｄ１）に貫通する１または複数の開口３２Ｅを有している。開口３２Ｅには、固定部４０が挿通されている。なお、映像表示面１０Ａと平行な方向（方向Ｄ１）は、本技術の「第１方向」の一具体例に相当する。
【００１９】
下枠３１は、バックライト２０を収容する容器である。下枠３１は、例えば、バックライト２０の下面と対向する位置に配置された底板と、バックライト２０の側面と対向すると共に底板の端縁に立設された壁板とを含んで構成されている。下枠３１の壁板は、バックライト２０の側面と、中枠３２の壁板３２Ｄとの間に配置されており、少なくとも中枠３２の壁板３２Ｄ（壁板３２Ｄの内周面）と接している。さらに、下枠３１の壁板のうち表示パネル１０側の端部（上端部３１Ａ）の上面が中枠３２に直接、接している。つまり、下枠３１が、上端部３１Ａにて、中枠３２を支持している。上端部３１Ａの上面は、例えば、支持部３２Ａの下面、または、中枠３２のうち支持部３２Ａとは異なる部位であって、かつ支持部３２Ａの下面と平行な面に接している。下枠３１の壁板は、映像表示面１０Ａと平行な方向（方向Ｄ１）に貫通する１または複数の開口３１Ｂを有している。開口３１Ｂは、中枠３２の開口３２Ｅと向き合う位置に設けられており、開口３２Ｅの直径よりも小さな直径を有している。開口３１Ｂの直径は、後述のネジ４１の先端部分の直径と略同一の直径となっており、開口３１Ｂの内面は、例えば、ネジ４１の先端部分と嵌合する形状となっている。
【００２０】
上枠３３は、側面筐体であり、いわゆるベゼルと称されるものである。上枠３３は、例えば、中枠３２の上面および表示パネル１０の端縁と対向する位置に配置された上板と、中枠３２の側面と対向すると共に上板の端縁に立設された壁板とを含んで構成されている。上枠３３の壁板は、中枠３２との関係で、下枠３１とは反対側に配置されており、少なくとも中枠３２の側面（外周面）とは所定の間隙（空隙）を介して配置されている。つまり、上枠３３の壁板は、少なくとも中枠３２の側面（外周面）には直接、間接を問わず、接していない。上枠３３の上板は、映像表示面１０Ａと対向する位置に開口３３Ａを有している。上枠３３の壁板は、映像表示面１０Ａと平行な方向（方向Ｄ１）に貫通する１または複数の開口３３Ｂを有している。開口３３Ｂは、中枠３２の開口３２Ｅと向き合う位置に設けられており、開口３２Ｅの直径よりも小さな直径を有している。開口３３Ｂの直径は、後述のネジ４１の先端部分の直径よりも若干大きな直径となっており、かつ、ネジ４１の頭部が開口３３Ｂを通り抜けることのない程度に小さな直径となっている。
【００２１】
（固定部４０）
固定部４０は、下枠３１および上枠３３を、映像表示面１０Ａと平行な方向（方向Ｄ１）に働く締め付け力によって互いに固定するものである。固定部４０は、さらに、中枠３２に対して映像表示面１０Ａと平行な方向（方向Ｄ１）に力を加えない態様で中枠３２が脱落するのを妨げるものでもある。固定部４０は、ネジ部４１と、スペーサ４２とを有している。なお、スペーサ４２が、本技術の「干渉部」の一具体例に相当する。
【００２２】
ネジ部４１は、例えば、ドライバの先端を嵌め込むことの可能な溝の形成された頭部と、頭部に連結された嵌合部とを有している。ネジ部４１の嵌合部は、下枠３１の開口３１Ｂに嵌め込むことが可能となっており、例えば、オスネジの先端と同様の形状となっている。このとき、下枠３１の開口３１Ｂは、ネジ部４１の嵌合部の形状に対応した形状となっており、例えば、メスネジと同様の形状となっている。ネジ部４１の嵌合部は、ネジ部４１の頭部よりも小さな直径となっており、上枠３３の開口３３Ｂを挿通可能となっている。その逆に、ネジ部４１の頭部は、ネジ部４１の嵌合部よりも大きな直径となっており、上枠３３の開口３３Ｂを通り抜けることができないようになっている。
【００２３】
スペーサ４２は、中枠３２の開口３２Ｅ内に配置されている。スペーサ４２は、例えば、中枠３２の開口３２Ｅとは所定の間隙を介して配置されている。なお、スペーサ４２は、図示しないが、スペーサ４２の外周面全体が中枠３２の開口３２Ｅの内周面全体と接していてもよい。スペーサ４２の外周面全体が中枠３２の開口３２Ｅの内周面全体と接している場合には、中枠３２のがたつきを低減することができる。スペーサ４２が中枠３２に接しているか否かに拘わらず、スペーサ４２は、中枠３２に対して、映像表示面１０Ａと平行な方向（方向Ｄ１）の力を加えないようになっている。スペーサ４２の外周面全体が中枠３２の開口３２Ｅの内周面全体と接している場合には、スペーサ４２の外周面と、中枠３２の開口３２Ｅの内周面とは、互いに平行となっていることが好ましい。さらに、スペーサ４２の外周面、および中枠３２の開口３２Ｅの内周面のそれぞれの法線が、上述の方向Ｄ１と直交していることが好ましい。
【００２４】
スペーサ４２は、下枠３１の開口３１Ｂおよび上枠３３の開口３３Ｂと向き合う位置に開口４２Ａを有している。スペーサ４２は、例えば、円筒形状となっている。スペーサ４２の開口４２Ａは、下枠３１の開口３１Ｂの直径よりも大きな直径となっている。スペーサ４２は、ネジ部４１の嵌合部の側面と所定の間隙を介して配置されていてもよいし、図示しないが、開口４２Ａにおいて、ネジ部４１の嵌合部の側面と接していてもよい。スペーサ４２は、ネジ部４１が下枠３１の開口３１Ｂに嵌め込まれているときに、映像表示面１０Ａと平行な方向（方向Ｄ１）から、下枠３１および上枠３３によって挟み込まれている。つまり、下枠３１および上枠３３は、ネジ部４１によって、スペーサ４２を介して互いに固定されている。このとき、ネジ部４１によって下枠３１および上枠３３に固定されたスペーサ４２が中枠３２の開口３２Ｅ内に挟まっているために、中枠３２に対して映像表示面１０Ａと平行な方向（方向Ｄ１）に力を加えない態様で、中枠３２の脱落が妨げられている。
【００２５】
（固定層５０）
固定層５０は、表示パネル１０を中枠３２の支持面３２Ｃに固定するものである。固定層５０は、接着性もしくは粘着性と、弾性とを兼ね備えた材料で構成されている。接着性と弾性とを兼ね備えた材料としては、例えば、スポンジ状の両面テープが挙げられる。固定層５０は、表示パネル１０のフレーム領域に接している。固定層５０は、表示パネル１０が図１に示したような４辺を有する方形状となっている場合には、例えば、４辺を有する方形状となっており、かつ映像表示面１０Ａに対応して開口を有する環状の形状となっている。なお、固定層５０は、表示パネル１０のフレーム領域の辺ごとに１つずつ別個に設けられていてもよい。固定層５０が表示パネル１０のフレーム領域の辺ごとに１つずつ別個に設けられている場合には、各辺に設けられた固定層５０は、例えば、帯状の形状となっている。固定層５０は、表示パネル１０のフレーム領域の一部の辺にだけ設けられていてもよい。
【００２６】
［効果］
次に、表示装置１の効果について説明する。表示装置１では、表示パネル１０の下面（さらにはバックライト２０）を保護する下枠３１と、表示パネル１０の端縁を保護する上枠３３とが、ネジ部４１による方向Ｄ１に働く締め付け力によって互いに固定されている。さらに、スペーサ４２が、表示パネル１０を支持する中枠３２に対して方向Ｄ１に力を加えない態様で、中枠３２の脱落を防止している。これにより、ネジ部４１による締め付けに起因する歪みが中枠３２に伝播し難くなる。また、表示装置１では、中枠３２がダイキャスト製となっている。そのため、中枠３２は高剛性で歪みに難い性質を有しているので、中枠３２には歪が生じ難く、しかも、他の部材の歪みが中枠３２を介して表示パネル１０に伝播し難くなっている。その結果、表示パネル１０に加わる応力に起因する輝度ムラを低減することができる。
【００２７】
＜２．変形例＞
[変形例１]
上記実施の形態では、下枠３１の上端部３１Ａの上面が、中枠３２に直接、接していたが、例えば、図４に示したように、下枠３１の上端部３１Ａの上面と、中枠３２との間に、弾性体５１が設けられていてもよい。弾性体５１は、例えば、シリコーンなどのゴム材料で構成されている。この場合に、下枠３１は、ダイキャスト製となっていてもよいし、板金加工部材または樹脂成型部材で構成されていてもよい。弾性体５１が下枠３１の端部３１の上面と、中枠３２との間に設けられていることにより、下枠３１の上端部３１Ａの上面の平面度があまり高くなかったとしても、それによって表示パネル１０に歪が生じるのを低減することができる。
【００２８】
[変形例２]
上記実施の形態およびその変形例では、下枠３１の上端部３１Ａの上面が、中枠３２に直接または間接的に、接していたが、中枠３２に接していなくてもよい。このとき、下枠３１の端部３１の上面は、中枠３２とは所定の間隙を介して配置されているので、スペーサ４２が中枠３２を支持するようになっていてもよい。ところで、スペーサ４２が中枠３２を支持するようになっている場合に、例えば、図５、図６に示したように、スペーサ４２の代わりに、外周面に弾性部材を有するスペーサ４３が設けられていてもよい。スペーサ４３は、例えば、開口４３Ａを有する環状の金属層４３Ｂと、金属層４３Ｂの外周面に接する環状の弾性層４３Ｃとにより構成されている。弾性層４３Ｃは、例えば、シリコーンなどのゴム材料で構成されている。なお、開口４３Ａが、上記実施の形態における開口４２Ａに対応している。
【００２９】
[変形例３]
上記実施の形態およびその変形例では、下枠３１およびスペーサ４２は、それぞれ、別体で構成されていたが、一体で構成されていてもよい。このとき、下枠３１およびスペーサ４２からなる構造体は、例えば、図７に示したような下枠３４で表される。下枠３４は、下枠３１およびスペーサ４２の代わりに設けられたものであり、スペーサ４２に対応する部分に、凸部３４Ｃを有している。凸部３４Ｃおよび上枠３３の壁部は、映像表示面１０Ａと平行な方向（方向Ｄ１）で互いに対向している。下枠３４は、凸部３４Ｃが側面に設けられた複雑な構造となっている関係から、ダイキャスト製となっていることが好ましい。なお、凸部３４Ｃが、本技術の「干渉部」の一具体例に相当する。
【００３０】
凸部３４Ｃは、中枠３２の開口３２Ｅ内に配置されている。凸部３４Ｃは、例えば、中枠３２の開口３２Ｅとは所定の間隙を介して配置されている。なお、凸部３４Ｃは、図示しないが、凸部３４Ｃの外周面全体が中枠３２の開口３２Ｅの内周面全体と接していてもよい。凸部３４Ｃの外周面全体が中枠３２の開口３２Ｅの内周面全体と接していることにより、中枠３２のがたつきを低減することができる。凸部３４Ｃが中枠３２に接しているか否かに拘わらず、凸部３４Ｃは、中枠３２に対して、映像表示面１０Ａと平行な方向（方向Ｄ１）の力を加えないようになっている。凸部３４Ｃの外周面全体が中枠３２の開口３２Ｅの内周面全体と接している場合には、凸部３４Ｃの外周面と、中枠３２の開口３２Ｅの内周面とは、互いに平行となっていることが好ましい。さらに、凸部３４Ｃの外周面、および中枠３２の開口３２Ｅの内周面のそれぞれの法線が、上述の方向Ｄ１と直交していることが好ましい。
【００３１】
下枠３４の壁板のうち表示パネル１０側の端部（上端部３４Ａ）の上面が中枠３２に直接、接している。つまり、下枠３４が、上端部３４Ａにて、中枠３２を支持している。下枠３４は、下枠３１の開口３１Ｂに対応して開口３４Ｂを有している。凸部３４Ｃは、下枠３４の開口３４Ｂおよび上枠３３の開口３３Ｂと向き合う位置に孔３４Ｄを有している。凸部３４Ｃは、例えば、円筒形状となっている。凸部３４Ｃの孔３４Ｄは、下枠３４の開口３４Ｂの直径よりも大きな直径となっている。凸部３４Ｃは、ネジ部４１の嵌合部の側面と所定の間隙を介して配置されていてもよいし、図示しないが、孔３４Ｄにおいて、ネジ部４１の嵌合部の側面と接していてもよい。凸部３４Ｃは、ネジ部４１が下枠３４の開口３４Ｂに嵌め込まれているときに、上枠３３（具体的には上枠３３の壁部の内面）に直接、接している。このとき、凸部３４Ｃが中枠３２の開口３２Ｅ内に挟まっているために、中枠３２に対して映像表示面１０Ａと平行な方向（方向Ｄ１）に力を加えない態様で、中枠３２の脱落が妨げられている。
【００３２】
本変形例においても、表示パネル１０の下面（さらにはバックライト２０）を保護する下枠３４と、表示パネル１０の端縁を保護する上枠３３とが、ネジ部４１による方向Ｄ１に働く締め付け力によって互いに固定されている。さらに、凸部３４Ｃが、表示パネル１０を支持する中枠３２に対して方向Ｄ１に力を加えない態様で、中枠３２の脱落を防止している。これにより、ネジ部４１による締め付けに起因する歪みが中枠３２に伝播し難くなる。また、本変形例においても、中枠３２はダイキャスト製となっている。そのため、中枠３２は高剛性で歪みに難い性質を有しているので、中枠３２には歪が生じ難く、しかも、他の部材の歪みが中枠３２を介して表示パネル１０に伝播し難くなっている。その結果、表示パネル１０に加わる応力に起因する輝度ムラを低減することができる。
【００３３】
[変形例４]
上記実施の形態およびその変形例では、下枠３１，３４は、ネジ部４１を嵌め込む開口３１Ｂ，３４Ｂを有していたが、例えば、図８に示したように、開口３１Ｂ，３４Ｂの代わりに、ネジ部４１を嵌め込む孔３５を有していてもよい。孔３５は、下枠３１，３４を貫通しておらず、底面を有している。
【００３４】
[変形例５]
上記実施の形態およびその変形例では、固定部４０には、ネジ４１が設けられていたが、表示パネル１０に応力が伝わるのを低減することができる限りにおいて、ネジ４１以外の部材が設けられていてもよい。
【００３５】
[変形例６]
上記実施の形態およびその変形例では、固定部４０は２つだけ設けられていたが、３つ以上設けられていてもよいし、１つだけ設けられていてもよい。また、上記実施の形態およびその変形例では、ネジ４１は、下枠３１から着脱可能な構成となっていたが、下枠３１に一旦固定したら着脱できない構成となっていてもよい。
【００３６】
[変形例７
上記実施の形態およびその変形例では、表示パネル１０が液晶表示パネルとなっている場合が例示されていたが、表示パネル１０がそれとは異なる表示パネルとなっていてもよい。
【００３７】
＜３．応用例＞
[応用例１]
次に、上記実施の形態およびその変形例に係る表示装置１の一応用例について説明する。図９は、本応用例に係る電子機器１００の概略構成の一例を表す斜視図である。電子機器１００は、携帯電話機であり、例えば、図９に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００３８】
表示装置１１３は、上記実施の形態およびその変形例に係る表示装置１と同一の構成を備えている。これにより、表示装置１１３における輝度ムラを低減することができる。
【００３９】
[応用例２]
続いて、上記実施の形態およびその変形例に係る表示装置１の他の応用例について説明する。図１０は、本応用例に係るインスツルメント・パネル２００の概略構成の一例を表す正面図である。インスツルメント・パネル２００は、自動車の運転席の前面に設けられるものであり、表示装置２１０を備えている。表示装置２１０は、自動車の運転に必要な種々の情報を表示装置２１０の表示画面２１０Ａに表示するようになっている。表示装置２１０は、例えば、図１０に示したように、自動車の速度２１１や、エンジンの回転数２１２、右折２１３、左折２１４、およびガソリンの残量やエンジン冷却水の温度などの各種情報２１５を表示するようになっている。
【００４０】
表示装置２１０は、上記実施の形態およびその変形例に係る表示装置１と同一の構成を備えている。これにより、表示装置２１０おける輝度ムラを低減することができる。
【００４１】
なお、上記実施の形態およびその変形例に係る表示装置１を応用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００４２】
また、例えば、本技術は以下のような構成を取ることができる。
（１）
電気光学パネルと、
前記電気光学パネルを支持すると共に保護する筐体と
を備え、
前記筐体は、
固定層を介して前記電気光学パネルを支持するダイキャスト製の第１枠体と、
前記電気光学パネルの下面を保護する第２枠体と、
前記電気光学パネルの端縁を保護する第３枠体と、
前記第２枠体および前記第３枠体を第１方向に働く締め付け力によって互いに固定する固定部と
を有し、
前記固定部または前記第２枠体は、前記第１枠体に対して前記第１方向に力を加えない態様で前記第１枠体が脱落するのを妨げる干渉部を有する
電気光学装置。
（２）
前記第１枠体は、前記第１方向に貫通する第１開口を有し、
前記干渉部は、前記第１開口内に配置されている
（１）に記載の電気光学装置。
（３）
前記干渉部が、前記固定部に設けられており、
前記干渉部は、前記第２枠体および前記第３枠体によって前記第１方向から挟まれている
（１）または（２）に記載の電気光学装置。
（４）
前記第１枠体は、アルミニウム合金またはマグネシウム合金を含んで構成されたものである
（１）ないし（３）のいずれか１つに記載の電気光学装置。
（５）
前記第２枠体は、直接、または弾性体を介して、前記電気光学パネルの下面に接している
（１）ないし（３）のいずれか１つに記載の電気光学装置。
（６）
前記第２枠体は、ダイキャスト製である
（１）ないし（５）のいずれか１つに記載の電気光学装置。
（７）
前記干渉部が前記第２枠体に設けられており、
前記干渉部および前記第３枠体は前記第１方向で互いに対向しており、
前記干渉部は前記第３枠体に直接、接している
（２）に記載の電気光学装置。
（８）
前記第２枠体は、ダイキャスト製である
（７）に記載の電気光学装置。
（９）
前記電気光学パネルは、入射光を変調することにより映像を表示する表示パネルであり、
当該電気光学装置は、前記電気光学パネルの背面に光を照射するバックライトを備え、
前記第２枠体は、前記バックライトを支持すると共に保護している
（１）ないし（８）のいずれか１つに記載の電気光学装置。
【符号の説明】
【００４３】
１，２１０…表示装置、１０…表示パネル、１０Ａ…映像表示面、２０…バックライト、２１…光源、２２…光学シート、２３…台座、３０…枠体、３１，３４…下枠、３１Ａ，３４Ａ…上端部、３１Ｂ，３２Ｂ，３２Ｅ，３３Ａ，３３Ｂ，３４Ｂ，３４Ｄ，４２Ａ，４３Ａ…開口、３２…中枠、３２Ａ…支持部、３２Ｃ…支持面、３２Ｄ…壁板、３３…上枠、３４Ｃ…凸部、３４Ｄ，３５…孔、４０…固定部、４１…ネジ、４２，４３…スペーサ、４３Ｂ…金属層、４３Ｃ…弾性層、５０…固定層、５１…弾性体、６０…駆動基板、７０…ＦＰＣ、１００…電子機器、１１１…本体部、１１２…表示体部、１１３…表示装置、１１４…表示画面、１１５…操作ボタン、１１６…送話部、２００…インスツルメント・パネル、２１０Ａ…表示画面、２１１…速度、２１２…回転数、２１３…右折、２１４…左折、２１５…各種情報、Ｄ１…方向。
【図１】
0005798049.tif 000002
【図２】
0005798049.tif 000003
【図３】
0005798049.tif 000004
【図４】
0005798049.tif 000005
【図５】
0005798049.tif 000006
【図６】
0005798049.tif 000007
【図７】
0005798049.tif 000008
【図８】
0005798049.tif 000009
【図９】
0005798049.tif 000010
【図１０】
0005798049.tif 000011